(57)【要約】【課題】ハウジングから基板固定部にかかる応力を緩和でき、基板固定部の基板に対する固定強度を向上することができる基板用コネクタを提供する。【解決手段】基板３の表面に載置されるハウジング５と、このハウジング５に組付けられ基板３に固定されてハウジング５を基板３に固定させる固定部材７とを備えた基板用コネクタ１において、固定部材７が、基板３の表面と直交する方向に位置するハウジング５の側壁９に組付けられるハウジング固定部１１と、このハウジング固定部１１と連続して形成され基板３の表面にはんだ付けによるフィレット部１３を介して固定される基板固定部１５とを有し、ハウジング固定部１１と基板固定部１５との間に、少なくとも一回以上屈曲されたクランク部１７を設けた。【選択図】図３
2015056202.tif 000002
【特許請求の範囲】
【請求項１】
基板の表面に載置されるハウジングと、このハウジングに組付けられ前記基板に固定されて前記ハウジングを前記基板に固定させる固定部材とを備えた基板用コネクタであって、
前記固定部材は、前記基板の表面と直交する方向に位置する前記ハウジングの側壁に組付けられるハウジング固定部と、このハウジング固定部と連続して形成され前記基板の表面にはんだ付けによるフィレット部を介して固定される基板固定部とを有し、
前記ハウジング固定部と前記基板固定部との間には、少なくとも一回以上屈曲されたクランク部が設けられていることを特徴とする基板用コネクタ。
【請求項２】
請求項１記載の基板用コネクタであって、
前記基板固定部には、端部が前記ハウジング固定部側に向けて屈曲されて半円状に形成され、前記フィレット部に浸漬される屈曲部が設けられていることを特徴とする基板用コネクタ。
【請求項３】
請求項２記載の基板用コネクタであって、
前記クランク部は、前記基板固定部の前記屈曲部で屈曲された端部が前記ハウジングの側壁との間に位置するように屈曲されていることを特徴とする基板用コネクタ。
【発明の詳細な説明】
【技術分野】
【０００１】
本発明は、基板用コネクタに関する。
【背景技術】
【０００２】
従来、基板用コネクタとしては、基板の表面に載置されるハウジングと、このハウジングに組付けられ基板に固定されてハウジングを基板に固定させる固定部材としてのペグとを備えたものが知られている（例えば、特許文献１参照）。
【０００３】
この基板用コネクタでは、ペグがハウジングの側面に固定されるハウジング固定部と、このハウジング固定部から直交する方向に延び、基板の表面に沿うように設けられる基板固定部とを有している。
【０００４】
このような基板用コネクタでは、ペグの基板固定部を基板の表面にはんだ付けによるフィレット部を介して固定することにより、ハウジングがペグを介して基板の表面に固定される。
【先行技術文献】
【特許文献】
【０００５】
【特許文献１】特開２０１３−１２５５８１号公報
【発明の概要】
【発明が解決しようとする課題】
【０００６】
しかしながら、上記特許文献１のような基板用コネクタでは、固定部材の基板固定部をフィレット部を介して基板に固定した状態で、例えば、ハウジングに相手ハウジングを嵌合させるときなどのようにハウジングに外力が加わると、この外力がハウジング固定部から基板固定部に直接的に入力される。
【０００７】
このため、基板固定部に直接的に入力された外力の大部分がはんだ付けによるフィレット部にかかり、フィレット部に損傷が生じるなど、基板固定部の基板に対する固定強度が低下する恐れがあった。
【０００８】
そこで、この発明は、ハウジングから基板固定部にかかる応力を緩和でき、基板固定部の基板に対する固定強度を向上することができる基板用コネクタの提供を目的としている。
【課題を解決するための手段】
【０００９】
請求項１記載の発明は、基板の表面に載置されるハウジングと、このハウジングに組付けられ前記基板に固定されて前記ハウジングを前記基板に固定させる固定部材とを備えた基板用コネクタであって、前記固定部材は、前記基板の表面と直交する方向に位置する前記ハウジングの側壁に組付けられるハウジング固定部と、このハウジング固定部と連続して形成され前記基板の表面にはんだ付けによるフィレット部を介して固定される基板固定部とを有し、前記ハウジング固定部と前記基板固定部との間には、少なくとも一回以上屈曲されたクランク部が設けられていることを特徴とする。
【００１０】
この基板用コネクタでは、ハウジング固定部と基板固定部との間に少なくとも一回以上屈曲されたクランク部が設けられているので、ハウジングの嵌合などにおける外力がハウジング固定部からクランク部を介して基板固定部に入力される。
【００１１】
このため、基板固定部に入力される外力がクランク部で吸収され、基板固定部にかかる応力を緩和することができ、はんだ付けによるフィレット部に損傷が生じることを防止することができる。
【００１２】
従って、このような基板用コネクタでは、クランク部によってハウジングから基板固定部にかかる応力を緩和でき、基板固定部の基板に対する固定強度を向上することができる。
【００１３】
請求項２記載の発明は、請求項１記載の基板用コネクタであって、前記基板固定部には、端部が前記ハウジング固定部側に向けて屈曲されて半円状に形成され、前記フィレット部に浸漬される屈曲部が設けられていることを特徴とする。
【００１４】
この基板用コネクタでは、基板固定部に端部がハウジング固定部側に向けて屈曲されて半円状に形成され、フィレット部に浸漬される屈曲部が設けられているので、半円状の屈曲部によってフィレット部との接触面積を増大させることができ、固定強度を向上することができる。加えて、フィレット部との接触面積を増大することができるので、はんだ量を削減することができる。
【００１５】
また、基板固定部は、半円状の屈曲部をフィレット部に浸漬させるので、フィレット部に浸漬された基板固定部においてエッジ状の部位がなくなり、フィレット部にかかる応力を分散することができ、フィレット部の損傷を防止することができる。加えて、半円状の屈曲部が基板上に配置されるので、基板固定部の基板上における占有面積を削減することができる。
【００１６】
請求項３記載の発明は、請求項２記載の基板用コネクタであって、前記クランク部は、前記基板固定部の前記屈曲部で屈曲された端部が前記ハウジングの側壁との間に位置するように屈曲されていることを特徴とする。
【００１７】
この基板用コネクタでは、クランク部が基板固定部の屈曲部で屈曲された端部がハウジングの側壁との間に位置するように屈曲されているので、屈曲部のハウジングの側壁に対する曲げ方向を内巻きとすることができ、クランク部で緩和された応力を屈曲部によってより分散させることができ、基板固定部の基板に対する固定強度をさらに向上することができる。
【発明の効果】
【００１８】
本発明によれば、ハウジングから基板固定部にかかる応力を緩和でき、基板固定部の基板に対する固定強度を向上することができる基板用コネクタを提供することができるという効果を奏する。
【図面の簡単な説明】
【００１９】
【図１】本発明の実施の形態に係る基板用コネクタの斜視図である。
【図２】本発明の実施の形態に係る基板用コネクタの上面図である。
【図３】本発明の実施の形態に係る基板用コネクタの断面図である。
【図４】本発明の実施の形態に係る基板用コネクタの固定部材の斜視図である。
【図５】（ａ）は本発明の実施の形態に係る基板用コネクタの固定部材の正面図である。（ｂ）は本発明の実施の形態に係る基板用コネクタの固定部材の側面図である。
【図６】（ａ）は本発明の実施の形態に係る基板用コネクタの固定部材を基板にはんだ付けしたときの正面図である。（ｂ）は本発明の実施の形態に係る基板用コネクタの固定部材を基板にはんだ付けしたときの側面図である。
【図７】従来例の基板用コネクタにおける固定部材の斜視図である。
【図８】（ａ）は図７の固定部材とフィレット部の応力分布を示す斜視図である。（ｂ）は図８（ａ）の状態から固定部材を外したときのフィレット部の応力分布を示す斜視図である。
【図９】（ａ）は本発明の実施の形態に係る基板用コネクタの固定部材とフィレット部の応力分布を示す斜視図である。（ｂ）は図９（ａ）の状態から固定部材を外したときのフィレット部の応力分布を示す斜視図である。
【発明を実施するための形態】
【００２０】
図１〜図９を用いて本発明の実施の形態に係る基板用コネクタについて説明する。
【００２１】
本実施の形態に係る基板用コネクタ１は、基板３の表面に載置されるハウジング５と、このハウジング５に組付けられ基板３に固定されてハウジング５を基板３に固定させる固定部材７とを備えている。
【００２２】
また、固定部材７は、基板３の表面と直交する方向に位置するハウジング５の側壁９に組付けられるハウジング固定部１１と、このハウジング固定部１１と連続して形成され基板３の表面にはんだ付けによるフィレット部１３を介して固定される基板固定部１５とを有する。
【００２３】
そして、ハウジング固定部１１と基板固定部１５との間には、少なくとも一回以上屈曲されたクランク部１７が設けられている。
【００２４】
また、基板固定部１５には、端部がハウジング固定部１１側に向けて屈曲されて半円状に形成され、フィレット部１３に浸漬される屈曲部１９が設けられている。
【００２５】
さらに、クランク部１７は、基板固定部１５の屈曲部１９で屈曲された端部がハウジング５の側壁９との間に位置するように屈曲されている。
【００２６】
図１〜図６に示すように、ハウジング５は、合成樹脂などの絶縁性材料からなり、筐体状に形成され、一端側が開口され内部に相手コネクタ（不図示）が嵌合される嵌合部２１が設けられている。
【００２７】
このハウジング５は、電子部品（不図示）などが表面に実装された回路基板である基板３の表面に載置される。このハウジング５の嵌合部２１内には、ハウジング５の他端側に設けられた端子固定部２３から挿入される端子２５の接続部２７が配置される。
【００２８】
端子２５は、導電性材料からなり、Ｌ字状に形成され、接続部２７と、基板接続部２９とを備えている。なお、本実施の形態に係る基板用コネクタ１では、ハウジング５に対して複数の端子２５が収容されている。
【００２９】
接続部２７は、端子２５の一端側にタブ状に形成され、ハウジング５の端子固定部２３から嵌合部２１内に挿入され、端子固定部２３に圧入されることによって嵌合部２１内に収容配置される。
【００３０】
この接続部２７は、ハウジング５の嵌合部２１に相手コネクタが嵌合することにより、相手コネクタ内に収容された電源や機器などに接続された相手端子（不図示）の接続部が接続され、端子２５と相手端子とが電気的に接続される。
【００３１】
基板接続部２９は、端子２５の他端側に設けられ、端子固定部２３に圧入された状態で、ハウジング５から露出し、基板３の回路を形成する導体部に接続される。
【００３２】
この基板接続部２９は、ハウジング５に端子２５が組付けられた状態で、ハウジング５を基板３上に配置することにより、基板３の導体部にはんだ付けされ、端子２５と基板３とが電気的に接続される。
【００３３】
このような端子２５が組付けられるハウジング５には、嵌合部２１の両側壁９，９の基板３側に、それぞれ圧入部３１が設けられている。
【００３４】
圧入部３１は、ハウジング５の側壁９の両端部から連続する一部材で凹状に形成され、ハウジング５の高さ方向に貫通孔をなすように形成された一対の溝部からなる。この圧入部３１の溝部の内部は、図示省略するが、固定部材７が圧入されると共に、固定部材７の圧入部３１からの抜け止めを行うように段差形状に形成されている。
【００３５】
このような圧入部３１は、ハウジング５の両側壁９，９にそれぞれ設けられ、この圧入部３１，３１の内部には、それぞれ固定部材７が圧入される。
【００３６】
固定部材７は、薄板状の金属材料からなり、ハウジング固定部１１と、基板固定部１５と、クランク部１７とを備えている。
【００３７】
ハウジング固定部１１は、基板３の表面と直交する方向、すなわちハウジング５の側壁９と平行に形成され、幅方向の両側にそれぞれ突出長さの長い第１突起部３３と、突出長さの短い第２突起部３５とが設けられている。
【００３８】
このハウジング固定部１１は、第１突起部３３と第２突起部３５とをハウジング５の圧入部３１に挿入することにより、第１突起部３３と第２突起部３５とがそれぞれ圧入部３１の内壁に圧入され、固定部材７をハウジング５に固定させる。
【００３９】
なお、ハウジング固定部１１は、第１突起部３３と第２突起部３５とをハウジング５の圧入部３１の内壁に圧入させなくともよく、第１突起部３３と第２突起部３５とを圧入部３１の内部に設けられた段差部に係止させ、基板３からのハウジング５の脱落を防止してもよい。
【００４０】
基板固定部１５は、ハウジング固定部１１の基板３側の端部からクランク部１７を介して連続する一部材で形成されている。この基板固定部１５の基板３側の端部は、ハウジング５の側壁９側に向けて屈曲されると共に、ハウジング固定部１１側に向けて屈曲されて半円状の屈曲部１９が形成されている。
【００４１】
この屈曲部１９は、固定部材７のハウジング固定部１１がハウジング５の圧入部３１に圧入された状態で、圧入部３１の基板３側に位置され、基板３に設けられたランド部にはんだ付けによって形成されるフィレット部１３に浸漬されて固定部材７を基板３に固定させる。このように基板固定部１５を基板３に固定することにより、固定部材７を介してハウジング５が基板３上に固定される。
【００４２】
このように基板固定部１５のフィレット部１３に浸漬される部分を半円状の屈曲部１９で形成することにより、例えば、ハウジング５の嵌合による応力が基板固定部１５にかかったとしても、フィレット部１３内には基板固定部１５の端部のようなエッジ状の部位がなく、応力を分散することができ、フィレット部１３の損傷を防止することができる。
【００４３】
加えて、半円状の屈曲部１９をフィレット部１３に浸漬させることにより、基板３の表面と平行に設けられた基板固定部１５をフィレット部１３に浸漬させる構造と比較して、フィレット部１３との接触面積を増大させることができ、固定強度を向上することができる。
【００４４】
クランク部１７は、ハウジング固定部１１と基板固定部１５との間に連続する一部材で形成されている。このクランク部１７は、ハウジング固定部１１側の端部をハウジング５の側壁９から離間する方向に屈曲され、基板固定部１５側の端部をハウジング５の側壁９に向けた方向に屈曲されて設けられており、少なくとも一回以上屈曲されている。
【００４５】
このようなクランク部１７とハウジング５の側壁９との間には、基板固定部１５の屈曲部１９で屈曲された端部が位置されている。このようにクランク部１７と屈曲部１９とを設けることにより、屈曲部１９のハウジング５の側壁９に対する曲げ方向を内巻きとすることができ、クランク部１７で緩和された応力を屈曲部１９によってより分散させることができる。
【００４６】
ここで、本発明の固定部材７と、図７に示すように、従来のようなクランク部１７が設けられておらず、基板固定部１５ａが基板３の表面に対して平行に設けられた固定部材７ａとのハウジング固定部１１に応力がかかったときの応力分布について、図８，図９に示す。
【００４７】
図８，図９から明らかなように、従来の固定部材７ａでは、ハウジング固定部１１に応力がかかった場合、基板固定部１５ａに直接的に応力がかかり、フィレット部１３ａにおいてハウジング固定部１１と基板固定部１５ａとの連結部が位置する部分に応力が集中している。
【００４８】
これに対して本発明の固定部材７では、ハウジング固定部１１に応力がかかった場合、クランク部１７で応力の大部分が吸収され、フィレット部１３において屈曲部１９が位置する部分の応力が分散されている。
【００４９】
従って、本発明の固定部材７では、クランク部１７によってハウジング５から基板固定部１５にかかる応力を緩和できることが明らかであり、従来の固定部材７ａよりも、フィレット部１３における基板固定部１５の固定強度を大幅に向上することができる。
【００５０】
このような基板用コネクタ１では、ハウジング固定部１１と基板固定部１５との間に少なくとも一回以上屈曲されたクランク部１７が設けられているので、ハウジング５の嵌合などにおける外力がハウジング固定部１１からクランク部１７を介して基板固定部１５に入力される。
【００５１】
このため、基板固定部１５に入力される外力がクランク部１７で吸収され、基板固定部１５にかかる応力を緩和することができ、はんだ付けによるフィレット部１３に損傷が生じることを防止することができる。
【００５２】
従って、このような基板用コネクタ１では、クランク部１７によってハウジング５から基板固定部１５にかかる応力を緩和でき、基板固定部１５の基板３に対する固定強度を向上することができる。
【００５３】
また、基板固定部１５には、端部がハウジング固定部１１側に向けて屈曲されて半円状に形成され、フィレット部１３に浸漬される屈曲部１９が設けられているので、半円状の屈曲部１９によってフィレット部１３との接触面積を増大させることができ、固定強度を向上することができる。加えて、フィレット部１３との接触面積を増大することができるので、はんだ量を削減することができる。
【００５４】
さらに、基板固定部１５は、半円状の屈曲部１９をフィレット部１３に浸漬させるので、フィレット部１３に浸漬された基板固定部１５においてエッジ状の部位がなくなり、フィレット部１３にかかる応力を分散することができ、フィレット部１３の損傷を防止することができる。加えて、半円状の屈曲部１９が基板３上に配置されるので、基板固定部１５の基板３上における占有面積を削減することができる。
【００５５】
また、クランク部１７は、基板固定部１５の屈曲部１９で屈曲された端部がハウジング５の側壁９との間に位置するように屈曲されているので、屈曲部１９のハウジング５の側壁９に対する曲げ方向を内巻きとすることができ、クランク部１７で緩和された応力を屈曲部１９によってより分散させることができ、基板固定部１５の基板３に対する固定強度をさらに向上することができる。
【００５６】
なお、本発明の実施の形態に係る基板用コネクタでは、固定部材のクランク部がハウジング固定部側と基板固定部側との両端部で二回屈曲されているが、これに限らず、例えば、クランク部の中央部で一回屈曲される、或いは二回以上屈曲されるなど、少なくとも一回以上屈曲されていればクランク部の形状はどのような形状であってもよい。
【００５７】
また、屈曲部は、ハウジングの側壁に対して内巻きとなるように屈曲されているが、これに限らず、屈曲部をハウジングの側壁に対して外巻きとなるように屈曲してもよい。
【符号の説明】
【００５８】
１…基板用コネクタ
３…基板
５…ハウジング
７…固定部材
９…側壁
１１…ハウジング固定部
１３…フィレット部
１５…基板固定部
１７…クランク部
１９…屈曲部
【図１】
2015056202.tif 000003
【図２】
2015056202.tif 000004
【図３】
2015056202.tif 000005
【図４】
2015056202.tif 000006
【図５】
2015056202.tif 000007
【図６】
2015056202.tif 000008
【図７】
2015056202.tif 000009
【図８】
2015056202.tif 000010
【図９】
2015056202.tif 000011